(57)【特許請求の範囲】
【請求項１】
複数の昇降棚を昇降自在に構成した昇降ユニットであって、各々の昇降棚に巻き上げ及び巻き戻し可能にした昇降索を各々係着し、選択した昇降棚の昇降索を巻き上げ及び巻き戻すための制御部と一つの駆動部とを備え、駆動部は、一つのモータの出力軸に出力ギアを連結し、各昇降棚の昇降索を巻き取り巻き戻す巻き取りドラムへの伝動系に伝動ギアを設け、伝動ギヤからの伝動力を制御部からの信号によって伝達・遮断する電磁クラッチを設け、出力ギヤに各伝動ギアを噛合して成ることを特徴とする昇降ユニット。
【請求項２】
制御部及び駆動部をレンジフードの側部に配設した主たる昇降棚の近傍に設けて成ることを特徴とする請求項１記載の昇降ユニット。
【請求項３】
制御部及び駆動部を主たる昇降棚の背面スペースに設けて成ることを特徴とする請求項１又は２記載の昇降ユニット。
【請求項４】
昇降棚は、全体を昇降可能に構成して成ることを特徴とする請求項１記載の昇降ユニット。
【請求項５】
昇降棚は、外部枠と内部の棚体とから構成され、棚体を昇降可能に構成して成ることを特徴とする請求項１記載の昇降ユニット。
【請求項６】
制御部を操作する操作スイッチは、遠隔操作するものであることを特徴とする請求項１記載の昇降ユニット。
【発明の詳細な説明】
【０００１】
【発明の属する技術分野】
本発明は、主として、システムキッチンの昇降ユニットに関し、詳しくは、複数の昇降棚を備えて収納容量を増しながら、駆動構成を簡素化しようする技術に係るものである。
【０００２】
【従来の技術】
従来、複数の昇降棚を備えたシステムキッチンの昇降ユニットにおいては、図１１に示すように、昇降棚Ａａの棚体１３ａを単独に昇降するものであって、昇降棚Ａａの各々にモータ６等を備えた駆動部４や制御回路部等を備えた制御ブロック１５を設置するとともに操作部１６も設けるものである。このように、各々に駆動部４及び操作部１６を備えた昇降棚Ａａを複数設置する昇降ユニットにおいては、全体として、多額のコストを要し、個々に操作部１６が付いていて使い難く、外観が低下し、昇降棚Ａａの構成が画一的で、システムキッチンとしての全体プランに制約を受ける等という問題があった。
【０００３】
【発明が解決しようとする課題】
本発明はこのような問題に鑑みてなされたものであり、複数の昇降棚を備えて収納容量を増しながら、駆動構成を簡素化することができる昇降ユニットを提供することを課題とするものである。
【０００４】
【課題を解決するための手段】
請求項１においては、複数の昇降棚１ａ、１ｂ…を昇降自在に構成した昇降ユニットであって、各々の昇降棚１ａ、１ｂ…に巻き上げ及び巻き戻し可能にした昇降索２ａ、２ｂ…を各々係着し、選択した昇降棚１ａの昇降索２ａを巻き上げ及び巻き戻すための制御部３と一つの駆動部４とを備え、駆動部４は、一つのモータ６の出力軸７に出力ギア８を連結し、各昇降棚１ａ…の昇降索２ａ…を巻き取り巻き戻す巻き取りドラム９ａ…への伝動系に伝動ギア１０ａ…を設け、伝動ギヤ１０ａ…からの伝動力を制御部３からの信号によって伝達・遮断する電磁クラッチ１１ａ…を設け、出力ギヤ８に各伝動ギア１０ａ…を噛合してあることを特徴とするものである。このような構成によれば、複数の昇降棚１ａ…を備えることで収納量を増しながら、制御部３と一つの駆動部４であっても、複数の昇降棚１ａ…のうち選択された昇降棚１ａの昇降索２ａを巻き上げ及び巻き戻すことができるのであり、複数の昇降棚１ａ…を備えながら、昇降ユニットの全体の駆動構成を簡素化することができる。
更に、請求項１においては、選択した電磁クラッチ１１ａを入切することによって、選択した昇降棚１ａの昇降索２ａの巻き取りドラム９ａを駆動及び停止させることができ、選択した昇降棚１ａを確実に昇降することができ、かつ、出力ギア８に巻き取りドラム９ａ…側の伝動ギア１０ａ…を噛合することから、駆動部４の構成を小型化しやすく、システムキッチンにおいて有利である。
【０００５】
また、請求項２のように、制御部３及び駆動部４はレンジフード５の側部に配設した主たる昇降棚１ａの近傍に設けてあることが好ましいものである。
【０００６】
また、請求項３のように、制御部３及び駆動部４を主たる昇降棚１ａの背面スペースＳに設けてあることが好ましいものである。
【０００８】
また、請求項４のように、昇降棚１ａ…は、全体を昇降可能に構成することが好ましいものである。
【０００９】
請求項５においては、昇降棚１ａ…は、外部枠１２ａ…と内部の棚体１３ａ…とから構成され、棚体１３ａ…を昇降可能に構成してあることを特徴とするものである。このような構成によれば、外部枠１２ａを残して内部の棚体１３ａのみを昇降させることができ、例えば、全体を昇降させる昇降棚１ｄとの組み合わせによって、昇降ユニットの設計プランの自由度を増すことができる。
【００１０】
また、請求項６のように、制御部３を操作する操作スイッチ１４は、遠隔操作するものであることが好ましいものである。
【００１１】
【発明の実施の形態】
以下、本発明の実施の形態を説明する。図１は正面図である。図２（ａ）は駆動部の概略正面図、同図（ｂ）は一部省略した側面図である。図３は概略平面図である。図４は図３のイ−イ線断面図である。
【００１２】
昇降ユニットＡは、システムキッチンのウオールユニットに複数を使用するものであり、その下方にレンジ１７、流し台及びシンク等を設けたフロアユニット２１を設置している。レンジ１７の上方のレンジフード５の隣に固定棚１８を設け、その隣りに主たる昇降棚１ａを設け、更に隣に複数の昇降棚１ｂ、１ｃ及び１ｄを設けていて、消防法上の制約を満たすようにしている。このような複数の昇降棚１ａ…は一つの駆動部４としてのモータ６にて選択して昇降できるようにしている。以下、昇降棚１ａ…及びその駆動構成を詳述する。
【００１３】
各昇降棚１ａ、１ｂ及び１ｃは、外部枠１２ａ、１２ｂ及び１２ｃと内部の棚体１３ａ、１３ｂ及び１３ｃとから構成され、ガイドレール２０によって昇降可能に構成している。各棚体１３ａ、１３ｂ及び１３ｃには昇降索２ａ、２ｂ及び２ｃが各々係着されている。各昇降棚１ａ…の大きさは相違していて、多様な組み合わせを可能にして設計プランの自由度を高めている。ところで、棚体１３ａ…は、木製の収納棚だけでなく、かご製の水切り棚、乾燥機付きの棚などに選択して変更することができるものである。又、昇降索２ａ…はベルトやチェーンであってもよいものである。昇降棚１ｄは全体が昇降するものである。
【００１４】
図１及び図２（ａ）（ｂ）に示すように、固定棚１８の上部には４個の巻き取りドラム９ａ、９ｂ、９ｃ及び９ｄを回転自在に設けている。各巻き取りドラム９ａ、９ｂ、９ｃ及び９ｄには、各電磁クラッチ１１ａ、１１ｂ、１１ｃ及び１１ｄを介して各伝動ギア１０ａ、１０ｂ、１０ｃ、及び１０ｄを回転自在に設けている。各電磁クラッチ１１ａ…はレンジ１７及び流し台などにて構成しているフロアユニット２１側に形成した操作スイッチ１４ａ、１４ｂ、１４ｃ及び１４ｄのいずれか一つを選択して入切することができるようにしている。このような遠隔操作される操作スイッチ１４ａ…からの操作信号が制御部３としての制御回路等を設けた制御ブロックに入力されて電磁クラッチ１１ａ…の入切制御がおこなわれるものである。ところで、各昇降棚１ａ…に操作スイッチ１４ａ′、１４ｂ′、１４ｃ′をハーネス（電線）にて接続して操作ができるようにしてもよいものである。４個の巻き取りドラム９ａ…の中心部にはモータ６を配設している。モータ６の出力軸７に出力ギア８を連結している。出力ギヤ８に伝動ギア１０ａ…を噛合している。
【００１５】
このように、各々の昇降棚１ａ、１ｂ…に巻き上げ及び巻き戻し可能にした昇降索２ａ、２ｂ…を各々係着し、選択した昇降棚１ａの昇降索２ａを巻き上げ及び巻き戻すための制御部３と一つの駆動部４としてのモータ６を備えていることから、一つのモータ６であっても、複数の昇降棚１ａ…のうち選択された昇降棚１ａの昇降索２ａを巻き上げ及び巻き戻すことができるのであり、複数の昇降棚１ａ…を備えながら、昇降ユニットＡの全体の駆動構成を簡素化することができるものである。又、一つの駆動部４であって、他の駆動部を省くことができて収納スペースを広くできるものである。
【００１６】
この場合、駆動部４は、一つのモータ６の出力軸７に出力ギア８を連結し、各昇降棚１ａ…の昇降索２ａ…を巻き取り巻き戻す巻き取りドラム９ａ…への伝動系に伝動ギア１０ａ…を設け、伝動ギヤ１０ａ…からの伝動力を制御部３からの信号によって伝達・遮断する電磁クラッチ１１ａ…を設け、出力ギヤ８を伝動ギア１０ａ…を噛合してあることから、選択した電磁クラッチ１１ａを入切することによって、選択した昇降棚１ａの巻き取りドラム９ａを駆動及び停止させることができ、選択した昇降棚１ａを確実に昇降することができ、かつ、出力ギア８に巻き取りドラム９ａ…側の伝動ギア１０ａ…を噛合することから、駆動部４の構成を小型化しやすく、システムキッチンにおいて有利であるものである。
【００１７】
図５は他の実施の形態を示し、本実施の形態においては、制御部３及びモータ６を主たる昇降棚１ａの背面スペースＳに設け、昇降索２ａ…も昇降棚１ａ、１ｂ、１ｃの背面スペースＳａに設けるようにしたものである。この背面スペースＳ、Ｓａは昇降棚１ａ…を約５０〜１００ｍｍ程度前に出すことで得られるものである。この場合、図８乃至図１０に示すように、昇降棚１ａ…の全体をガイドレール２０及び樹脂製の滑りびょうやシュウのような摺動材２２を介して昇降自在に構成してもよいものである。符号２３はプーリーである。
【００１８】
【発明の効果】
請求項１においては、複数の昇降棚を昇降自在に構成した昇降ユニットであって、各々の昇降棚に巻き上げ及び巻き戻し可能にした昇降索を各々係着し、選択した昇降棚の昇降索を巻き上げ及び巻き戻すための制御部と一つの駆動部とを備え、駆動部は、一つのモータの出力軸に出力ギアを連結し、各昇降棚の昇降索を巻き取り巻き戻す巻き取りドラムへの伝動系に伝動ギアを設け、伝動ギヤからの伝動力を制御部からの信号によって伝達・遮断する電磁クラッチを設け、出力ギヤに各伝動ギアを噛合しているから、複数の昇降棚を備えることで収納量を増しながら、制御部と一つの駆動部であっても、複数の昇降棚のうち選択された昇降棚の昇降索を巻き上げ及び巻き戻すことができるのであり、複数の昇降棚を備えながら、昇降ユニットの全体の駆動構成を簡素化することができるという利点がある。
【００１９】
更に、請求項１においては、選択した電磁クラッチを入切することによって、選択した昇降棚の昇降索の巻き取りドラムを駆動及び停止させることができ、選択した昇降棚を確実に昇降することができ、かつ、出力ギアに巻き取りドラム側の伝動ギアを噛合することから、駆動部の構成を小型化しやすく、システムキッチンにおいて有利であるという利点がある。
【００２０】
請求項５においては、昇降棚は、外部枠と内部の棚体とから構成され、棚体を昇降可能に構成してあるから、請求項１の効果に加えて、外部枠を残して内部の棚体のみを昇降させることができ、例えば、全体を昇降させる昇降棚との組み合わせによって、昇降ユニットの設計プランの自由度を増すことができるという利点がある。
【図面の簡単な説明】
【図１】本発明の実施の一形態の正面図である。
【図２】同上の駆動部を示し、（ａ）は概略正面図、（ｂ）は一部省略した側面図である。
【図３】同上の概略平面図である。
【図４】図３のイ−イ線断面図である。
【図５】同上の他の実施の形態の概略平面図である。
【図６】同上の概略側面図である。
【図７】同上の他の実施の形態の概略正面図である。
【図８】同上の他の実施の形態の概略平面図である。
【図９】同上の概略側面図である。
【図１０】同上の正面図である。
【図１１】従来例の概略正面図である。
【符号の説明】
１ａ  昇降棚
１ｂ  昇降棚
２ａ  昇降索
２ｂ  昇降索
３    制御部
４    操作部
【図１】
0003675296.tif 000002
【図２】
0003675296.tif 000003
【図３】
0003675296.tif 000004
【図４】
0003675296.tif 000005
【図５】
0003675296.tif 000006
【図６】
0003675296.tif 000007
【図７】
0003675296.tif 000008
【図８】
0003675296.tif 000009
【図９】
0003675296.tif 000010
【図１０】
0003675296.tif 000011
【図１１】
0003675296.tif 000012